(57)【要約】  本発明は、釣竿後受けに関するもので、釣竿の後部を一定の高さに固定させるための固定支持台と、前記固定支持台の上端に固定形成され、釣竿の後部を支えるためのＵ字型固定ホルダーとを備えている釣竿後受けであって、前記Ｕ字型固定ホルダーの左、右側固定ホルダー部それぞれの上端には、トーションばねの弾力によってヒンジを基点として回転可能に設置され、釣竿の後部が左、右側固定ホルダー部の間に挿入されるときには、弾力的に広がりながら釣竿の後部が前記左、右側固定ホルダー部の間に挿入されることを許容するとともに、前記左、右側固定ホルダー部の間に釣竿の後部が挿入された後には、元の位置に復帰して釣竿の後部が釣竿後受けに安全に据え置かれた状態を維持することができるように釣竿の後部を弾力的に押圧する左、右側押さえ作動具が形成されているように構成してなることを特徴とする発明である。【選択図】図１
2021511051.tif 000002
【特許請求の範囲】
【請求項１】
釣竿の後部を一定の高さに固定させるための固定支持台と、前記固定支持台の上端に固定形成され、釣竿の後部を支えるためのＵ字型固定ホルダーとを備えている釣竿後受けであって、
前記Ｕ字型固定ホルダーの左、右側固定ホルダー部それぞれの上端にヒンジを基点として回動可能に設置され、釣竿の後部が上部側から左、右側固定ホルダー部の間に挿入されるときに弾力的に広がってから窄まるように設置される左、右側押さえ作動具と；
前記左、右側押さえ作動具が互いに接近する方向に回動する力を加えるように前記それぞれのヒンジに設置されるトーションばねと；
前記左、右側押さえ作動具の上部内側に釣竿の後部の下降挿入を案内するように回転可能に設置される少なくとも一対のガイドローラーと；
前記Ｕ字型固定ホルダーの左、右側固定ホルダー部それぞれの下端に設けられる左、右側ヒンジブラケットと；
前記左、右側ヒンジブラケットにそれぞれ設けたヒンジ軸によって回転可能に起立して設置され、前記釣竿の後部の挿入時に左右に広がるように回転作動する左、右側可動ホルダー部と；
前記左、右側可動ホルダー部の間に挿入される釣竿の後部の両側面を弾力的に挟持して支えるようにするために前記左、右側可動ホルダー部が互いに接近する方向に弾発力を加えるように前記左、右側ヒンジブラケットにそれぞれ設けたヒンジ軸に設置されるトーションばねと；を含んでなることを特徴とする、釣竿後受け。
【請求項２】
前記左、右側押さえ作動具の上部内側に上広下狭の形態をなす傾斜面が形成され、前記傾斜面に沿って複数のガイドローラーが回転可能に所定の間隔を置いて形成されていることを特徴とする、請求項１に記載の釣竿後受け。
【請求項３】
（削除）
【請求項４】
前記左、右側可動ホルダー部それぞれの上端には、左、右側回転ローラーがローラー軸に対して回転可能に設置されており、前記左、右側回転ローラーのローラー軸は、左、右側可動ホルダー部の上端にそれぞれ形成されている長孔に沿って垂直方向に移動可能に形成されていることを特徴とする、請求項１に記載の釣竿後受け。
【請求項５】
前記左、右側可動ホルダー部の下部には、コイルばねによって上方に移動する力を受けるように断面「∩」字状に形成される左、右側緩衝具が設置され、前記左、右側緩衝具と前記左、右側回転ローラーのピン軸との間を連結している左、右側作動棒が前記左、右側可動ホルダー部のボディ内に挿設されており、前記左、右側作動棒は、前記左、右側回転ローラーが左、右側ヒンジブラケット側に向かって下降移動するときに前記左、右側緩衝具が前記コイルばねを弾力的に圧縮しながら下降移動させるように作動する部材であることを特徴とする、請求項４に記載の釣竿後受け。
【請求項６】
前記左、右側緩衝具には、左、右側固定ホルダー部側へ突出する突出棒が一つずつ形成されており、前記突出棒は、下降作動の際に前記左、右側固定ホルダー部の下端に形成されている円弧形状の案内経路に進入して前記案内通路に沿って回転移動するように形成されることにより、前記左、右側可動ホルダー部がヒンジ軸を回転基点として回転するように構成されていることを特徴とする、請求項５に記載の釣竿後受け。
【請求項７】
前記左、右側可動ホルダー部それぞれには、左、右側回転ローラーの下に補助ローラーが対向するように対称に形成されていることを特徴とする、請求項１に記載の釣竿後受け。
【請求項８】
前記左、右側可動ホルダー部それぞれには、釣竿の後部に連結紐で連結された紛失防止用アンカーがかかって拘束されるように少なくとも一つのストッパー突起が突出するか、或いは前記左、右側可動ホルダー部それぞれの上部側に前記アンカーの上昇離脱を遮断する離脱防止突起が形成されていることを特徴とする、請求項１に記載の釣竿後受け。
【請求項９】
前記左、右側押さえ作動具及び前記左、右側可動ホルダー部それぞれには、Ｎ極とＳ極が互いに対向するように設置される永久磁石が設けられており、前記左、右側押さえ作動具と前記左、右側可動ホルダー部は、起立した状態で互いに磁石を介して吸着して起立状態を維持することを特徴とする、請求項１、２または請求項４乃至８のいずれか一項に記載の釣竿後受け。
【請求項１０】
釣竿の後部を一定の高さに固定させるための固定支持台と、前記固定支持台の上端に固定形成され、釣竿の後部を支えるためのＵ字型固定ホルダーとを備えている釣竿後受けであって、
前記Ｕ字型固定ホルダーの左、右側固定ホルダー部それぞれの上端にヒンジを基点として回動可能に設置され、釣竿の後部が上部側から左、右側固定ホルダー部の間に挿入されるときに弾力的に広がってから窄まるように設置される左、右側押さえ作動具と；
前記左、右側押さえ作動具が互いに接近する方向に回動する力を加えるように前記それぞれのヒンジに設置されるトーションばねと；
前記左、右側押さえ作動具の上部内側に釣竿の後部の下降挿入を案内するように回転可能に設置される少なくとも一対のガイドローラーと；
前記左側固定ホルダー部の下端に形成されているヒンジブラケットと；
前記ヒンジブラケットに設けられたヒンジ軸を中心点として回転可能に接続される一つの回転支持台と；
前記回転支持台が前記右側固定ホルダー部側に回転する力を加えるように、前記ヒンジブラケットに設けられた前記ヒンジ軸に弾力設置されるトーションばねと；
前記回転支持台が起立して前記左側固定ホルダー部に近接するときに磁力によって互いに吸着して前記回転支持台が起立した状態を維持するように設置される永久磁石と；を含んでなることを特徴とする、釣竿後受け。
【請求項１１】
前記左、右側押さえ作動具の上部内側に上広下狭の形態をなす傾斜面が形成され、前記傾斜面に沿って複数のガイドローラーが回転可能に所定の間隔を置いて形成されていることを特徴とする、請求項１０に記載の釣竿後受け。
【請求項１２】
前記Ｕ字型固定ホルダーの右側固定ホルダー部の下端には、前記回転支持台の回転作動を停止させる段差部が形成され、前記段差部に回転支持台が回転して衝突時の騒音を減らすための緩衝部材が埋設されていることを特徴とする、請求項１０に記載の釣竿後受け。
【請求項１３】
前記左、右側押さえ作動具の間に下降挿入されて設置された釣竿を持ち上げるときに前記回転支持台の上端がかかる現象が現れないように誘導しながら釣竿の後部がスムーズに抜け出すように前記回転支持台の上端に回転可能に設けられる案内ローラーを含んでなることを特徴とする、請求項１０に記載の釣竿後受け。
【発明の詳細な説明】
【技術分野】
【０００１】
本発明は、釣竿後受けに係り、より詳細には、長さの短い前受けを使用しても釣竿を安全に支持することができ、かつ、釣りの途中でアタリをする魚が釣り針をくわえて前後方向または左右方向に速く移動するにつれて瞬間的に釣竿が釣竿後受けで弛緩してしまう現象が現われても釣竿の紛失事故を確実に防止することができ、特に、水草が分布している地域で釣りをする場合にはアワセのときに水草の反対方向にアワセを入れることができるようにすることで、釣り針にかかった魚をすくい上げるときに釣り糸が水草に根掛かることなく魚を安全にすくい上げることができるようにする釣竿後受けに関する。
【背景技術】
【０００２】
一般に、釣竿受けは、前受けと後受けに区分される。
前記前受けは、釣竿の前部を支えるためのもので、釣竿の規格によっていろいろな種類の大きさに区分される。通常、前受けは、釣竿を伸ばしたときに釣竿が前方に倒れないように安全に支持することが可能な大きさに構成されている。
前記後受けは、釣竿の後部を支えるためのもので、釣竿の規格によっていろいろな種類の直径を持つ釣竿の後部を安全に保持することができるように構成されている。
【０００３】
従来技術として、韓国実用新案登録第２０−０３９５０３６号の「離脱防止のためのスタンド用ブレーキホルダー」で紹介された釣竿の後受けは、釣竿の後部が上方に抜け外れることを防止することができないという欠点があり、これを解決するためのものとして、韓国登録特許第１０−１０３６２６４号の「釣竿支持台用ホルダー」が提案されている。
上述した先行技術（韓国登録特許第１０−１０３６２６４号）は、釣竿の後部を保持する第１及び第２回転部材の上端間隙が下端間隙よりも狭くなるように形成する構成によって、釣竿の後部が上方に抜け外れることを防止することができるように構成されている。ところが、これは、釣り針にかかった魚が釣竿の前方側、すなわち、釣竿から遠ざかる方向に逃げる場合には、第１及び第２回転部材が回転しない停止状態で釣竿をしっかりと保持するので、釣竿が第１及び第２回転部材の上方に抜け外さないようにするという利点を期待することができるが、これとは異なり、釣り針にかかった魚が、釣竿が設置されている方向に速く移動する場合には、釣竿の後部を弾力的に保持する第１及び第２回転部材それぞれは、釣竿を放す方向に回転するとともに釣竿の後部が第１及び第２回転部材の上方に抜け外される現象が現れるということが、問題点として指摘されている。
【０００４】
一方、この頃は、釣竿を複数並べて釣りを楽しむ文化が発展しており、これにより釣り文化も多様に変化している。
その一例として、釣竿を複数並べて釣りをする場合、または水草が多く分布している地域で釣りをする場合、または夜釣りをする場合には、長さの長い前受けで釣竿を支えるよりも、長さの短い前受けで釣竿を支持するようにした方が、釣り糸が前受けと絡み合うことを防止することができる。よって、釣竿を複数並べて釣りをする場合には、短い長さの前受けを用いて釣竿を支えている。
したがって、釣竿の後受けは、短い長さの前受けが支える部分を梃子にして釣竿の後部を持ち上げられないように安全かつ強固に保持することができるように構成されなければならない。また、釣り針にかかった魚が釣竿から遠ざかる方向に逃げるか、或いは釣竿に近づく方向に逃げるか、或いは魚がどの方向に逃げるかに関係なく、釣竿の後部が後受けから離脱しないように構成されなければならない。これにより、釣竿の紛失事故を予防することができ、ひいては釣り文化における成就感を感じることができるように釣竿を安全に支えることができる後受けを要求している。
【０００５】
また、従来技術の釣竿後受けは、釣竿の後部を安定的に支えることができるようにするためにＶ字型及びＵ字型の支持台を形成しており、また、釣竿の後部を弾力的に保持することができるようにするために前記Ｖ字型及びＵ字型の支持台が弾力的に広がってから元の状態に復元しながら釣竿の後部を弾力的に保持することができるように構成されているが、これは、釣竿の後部の表面が滑らかな状態である場合には、釣竿の後部をＶ字型及びＵ字型の支持台に弾力的に挟み込むことができるが、釣竿の後部が滑らかでないか或いは釣竿の後部に手が滑らないようにするために収縮ゴム帯を巻いておいた場合には、Ｖ字型及びＵ字型の支持台上に載せておく釣竿の後部がスムーズに滑らない現象が現れる。
これにより、釣竿の後部を後受けの支持台に容易に挟み込むことができなくなるので、後受けに釣竿の後部を安全に据え置くことができなくなるという問題点があり、また、従来技術の釣竿後受けは、釣竿の後部を弾力的に保持する力が弱いため、前受けが釣竿の前部を支える位置が釣竿の重心の位置よりも短い長さに形成されている場合には、Ｖ字型及びＵ字型の支持台の自体弾力のみでは釣竿の後部を安全に保持することができないので、釣りの途中で波打つ波によって釣竿の後部が後受けの上方に抜け外れるか或いはアタリをする魚が釣り針をくわえて逃げる力によって釣竿の後部が後受けの上方に容易に抜け外れるということが、問題点として指摘されている。
【先行技術文献】
【特許文献】
【０００６】
【特許文献１】韓国実用新案登録第２０−０３９５０３６号公報（２００５年９月７日公告）
【特許文献２】韓国登録特許第１０−１０３６２６４号公報（２０１１年５月２３日公告）
【特許文献３】韓国登録特許第１０−１５８２５４９号公報（２０１６年１月５日公告）
【発明の概要】
【発明が解決しようとする課題】
【０００７】
本発明は、上述した従来技術の諸問題を解決するためになされたもので、その目的は、長さの短い前受けを使用しても釣竿の後部を安全に支持することができ、かつ、釣り針にかかった魚が釣竿を引いていく現象が発生しても釣竿が釣竿後受けから完全に離脱しないようにすることにより釣竿の紛失事故を予防することができ、特に、釣り場の状況に応じてアワセのときにアワセ方向として引き方向または押し方向などを自由に選択してアワセを入れることができるようにすることにより、アワセのときに釣糸が水草などと絡み合う事例を未然に防止することができるようにする釣竿後受けを提供することにある。
【課題を解決するための手段】
【０００８】
上記目的を達成するための手段として、本発明の一様態は、
釣竿の後部を一定の高さに固定させるための固定支持台と、前記固定支持台の上端に固定形成され、釣竿の後部を支えるためのＵ字型固定ホルダーとを備えている釣竿後受けであって、
前記Ｕ字型固定ホルダーの左、右側固定ホルダー部それぞれの上端には、トーションばねの弾力によってヒンジを基点として回転可能に設置され、釣竿の後部が左、右側固定ホルダー部同士の間に挿入されるときには、弾力的に広がりながら釣竿の後部が前記左、右側固定ホルダー部同士の間に挿入されることを許容するとともに、前記左、右側固定ホルダー部同士の間に釣竿の後部が挿入された後には、元の位置に復帰して釣竿の後部が釣竿後受けに安全に据え置かれた状態を維持することができるように釣竿の後部を弾力的に押圧する左、右側押さえ作動具が形成されており、前記左、右側押さえ作動具は、下部に行くほど離隔幅が狭くなる傾斜面同士によってホッパー形状をしており、前記左、右側押さえ作動具の傾斜面には、釣竿グリップの下降を案内するように少なくとも一対のガイドローラーが回転可能に設置されたことを特徴とする。
【０００９】
また、前記左、右側押さえ作動具の傾斜面に沿って複数のガイドローラーが回転可能に所定の間隔を置いて形成されていることを特徴とする態様が挙げられる。
また、前記Ｕ字型固定ホルダーの左、右側固定ホルダー部それぞれの下端には、左、右側ヒンジブラケットが形成されており、前記左、右側ヒンジブラケットには、ヒンジ軸に設置されるトーションばねによって弾力的に回転可能に設置され、釣竿の後部を弾力的に支えるための左、右側可動ホルダー部が形成されていることを特徴とする態様が挙げられる。
また、前記左、右側可動ホルダー部それぞれの上端には、左、右側回転ローラーがローラー軸に対して回転可能に設置されており、前記左、右側回転ローラーそれぞれのローラー軸は、左、右側可動ホルダー部それぞれの上端に形成されている長孔に沿って移動可能に形成されていることを特徴とする態様が挙げられる。
また、前記左、右側可動ホルダー部には、断面「∩」字状に形成され、コイルばねによって弾力設置される左、右側緩衝具と、前記左、右側緩衝具と左、右側回転ローラーとの間に位置し、左、右側回転ローラーが左、右側ヒンジブラケットへ移動するときには左、右側緩衝具がコイルばねを弾力的に圧縮しながら移動するようにする左、右側作動棒とが挿設されていることを特徴とする態様が挙げられる。
また、前記左、右側緩衝具には、左、右側固定ホルダー部側へ突出する突出棒が一つずつ形成されており、前記突出棒それぞれは、前記左、右側固定ホルダー部それぞれの下端に形成されている案内経路に沿って回転移動するように形成し、前記左、右側可動ホルダー部がヒンジ軸を回転基点として回転するように構成されていることを特徴とする態様が挙げられる。
また、前記左、右側可動ホルダー部それぞれには、左、右側回転ローラーの下に補助ローラーが対向するように対称に形成されていることを特徴とする態様が挙げられる。
また、前記左、右側可動ホルダー部それぞれには、左、右側固定ホルダー部の反対方向に向かって一定の間隔で突出する複数のストッパー突起と一つの離脱防止突起がそれぞれ形成されていることを特徴とする態様が挙げられる。
また、前記左、右側押さえ作動具及び前記左、右側可動ホルダー部それぞれには、Ｎ極とＳ極が互いに対向するように設置される複数の永久磁石が形成されていることを特徴とする態様が挙げられる。
【００１０】
本発明の他の様態は、釣竿の後部を一定の高さに固定させるための後受け支持台と、前記後受け支持台の上端に固定形成され、釣竿の後部を支えるためのＵ字型固定ホルダーとを備えている釣竿後受けであって、
前記Ｕ字型固定ホルダーの左、右側固定ホルダー部の上端それぞれには、左、右側押さえ作動具が回転可能に連結されており、前記左側固定ホルダー部の下端に形成されているヒンジブラケットには、ヒンジ軸に弾力設置されるトーションばねによって前記右側固定ホルダー部側に回転可能に力を受けるように設置される一つの回転支持台が形成されており、前記左、右側押さえ作動具の傾斜面には、釣竿の後部の下降移動をガイドするように少なくとも一対の回転ローラーが形成されていることを特徴とする。
また、前記左、右側固定ホルダー部に回転可能に連結設置される左、右側押さえ作動具の傾斜面に沿って複数の回転ローラーが所定の間隔で形成されていることを特徴とする態様が挙げられる。
また、前記Ｕ字型固定ホルダーの右側固定ホルダー部の下端には、左側固定ホルダー部の下端に回転可能に設置されている回転支持台の回転作動を停止させる段差部が形成され、前記段差部に前記回転支持台が回転して衝突時の騒音を減らすための緩衝部材が埋設されていることを特徴とする態様が挙げられる。
また、前記回転支持台の上端先端部には、釣竿を持ち上げるときに回転支持台の上端がかかる現象が現れないようにしながら釣竿の後部がスムーズに抜け出すようにする案内ローラーが回転可能に形成されていることを特徴とする態様が挙げられる。
【発明の効果】
【００１１】
本発明によれば、釣り針に付いている餌を水面に投げた後、釣竿の後部を釣竿後受けに据え置かせようとするとき、左、右側可動ホルダー部の上端に載せておき、指などを用いて釣竿の後部を軽く押圧する動作で釣竿を釣竿後受けに安全に据え置かせることができ、風などにより水面が激しく波打っても、釣竿後受けは、釣竿の後部がＵ字型固定ホルダーの上方に離脱しないように弾力的に押圧することができるので、釣竿を安全に保護するという効果がある。
また、本発明は、釣り針にかかった魚が釣竿の反対方向に速く移動する（逃げる）につれて釣竿の後部が釣竿後受けのＵ字型固定ホルダーの前方に抜け外されるときには、それと同時に左、右側可動ホルダー部が弾力的に窄まり、これにより紛失防止用アンカーがＵ字型固定ホルダーを抜け出さないようにすることにより、釣りの途中で集中しない誤りにより釣竿を紛失する事故を未然に防止することができるようにするという効果がある。
また、本発明は、水草地域で釣りをするとき、釣り針にかかった魚が水草地域に速く移動する（逃げる）現象が現れても、アワセのときに釣竿を水草地域の反対方向に容易にアワセすることができるので、釣り糸が水草と絡み合わないようにアワセ方向を選択することができるようにするという効果がある。
【図面の簡単な説明】
【００１２】
【図１】本発明の第１実施形態の釣竿後受けの正面図である。
【図２】第１実施形態の釣竿後受けの左、右側可動ホルダー部を示す正面図である。
【図３】第１実施形態の釣竿後受けの固定ホルダーを示す正面図である。
【図４】本発明の第１実施形態の釣竿後受けの組立状態を示す側面図である。
【図５】図４のＡ−Ａ線に沿った断面図であって、可動ホルダーの緩衝具カバーの断面図である。
【図６】本発明の釣竿後受けに釣竿の後部を据え置かせる作動状態を段階的に示す図である。
【図７】本発明の釣竿後受けに釣竿の後部を据え置かせる作動状態を段階的に示す図である。
【図８】本発明の釣竿後受けに釣竿の後部を据え置かせる作動状態を段階的に示す図である。
【図９】本発明の釣竿後受けに釣竿の後部を据え置かせる作動状態を段階的に示す図である。
【図１０】第１実施形態の釣竿後受けの左、右側可動ホルダー部から釣竿の後部が抜け出したときに紛失防止用アンカーが左、右側可動ホルダー部及び紐挿入溝にかかる状態を示す図である。
【図１１】第１実施形態の釣竿後受けに適用される紛失防止用アンカーの断面図である。
【図１２】本発明の釣竿後受けの設置状態を示す図である。
【図１３】本発明の第２実施形態の釣竿後受けを示す正面図である。
【図１４】第２実施形態の釣竿後受けの組立状態を示す側面図である。
【図１５】第２実施形態の釣竿後受けに釣竿を据え置かせるときの作動状態を段階的に示す図である。
【図１６】第２実施形態の釣竿後受けに釣竿を据え置かせるときの作動状態を段階的に示す図である。
【図１７】第２実施形態の釣竿後受けの回転支持台が段差部側に回転作動した状態を示す図である。
【発明を実施するための形態】
【００１３】
本発明に係る釣竿後受けについての具体的な実施形態を添付図面に基づいて詳細に説明する。
図面符号１ａは第１実施形態の釣竿後受け、１ｂは第２実施形態の釣竿後受けをそれぞれ示す。
【００１４】
まず、第１実施形態の釣竿後受け１ａの構成について説明する。
前記第１実施形態の釣竿後受け１ａは、図１に示すように、固定支持台１１の上端に固定設置されるＵ字型固定ホルダー２と、前記Ｕ字型固定ホルダー２に弾力的に回転可能に組立設置される左、右側可動ホルダー部３ａ、３ｂに区分形成されている。
前記Ｕ字型固定ホルダー２は、図３に示すように、左側固定ホルダー部２１と右側固定ホルダー部２２がＵ字型をなすように連結されており、前記左、右側固定ホルダー部２１、２２の下端連結部位には、左、右側ヒンジブラケット２３、２４がそれぞれ形成されている。
【００１５】
また、前記左、右側固定ホルダー部２１、２２の下端連結部位に形成されている左、右側ヒンジブラケット２３、２４それぞれには、ヒンジ軸２５が一つずつ組み立てられるヒンジ組立孔２６、２７が形成されており、また、前記左、右側固定ホルダー部２１、２２それぞれの下端連結部位には、前記ヒンジ組立孔２６、２７それぞれを中心として円弧状に形成される案内通路２８、２９が対称形状に形成されている。
また、前記左、右側固定ホルダー部２１、２２それぞれの上端には、連結ブラケット４１、４２がそれぞれ形成されており、前記連結ブラケット４１、４２それぞれには、左、右側押さえ作動具４ａ、４ｂが回転可能に連結されている。
【００１６】
前記左、右側押さえ作動具４ａ、４ｂは、連結ブラケット４１、４２を貫通するピン軸４３、４４によって回転可能に連結されており、また、前記左、右側押さえ作動具４ａ、４ｂそれぞれは、ピン軸４３、４４に設置されるトーションばね４５、４６の弾力によって釣竿の後部１００、すなわちグリップを弾力的に押圧する作動で釣竿の後部１００が、風や波打つ波によりＵ字型固定ホルダー２の上方に抜け外れないようにする作用をするだけでなく、アワセのときに釣竿の後部１００を速くて軽く持ち上げることができるようにする弾力で釣竿の後部１００を弾力的に支持するように構成されている。
また、前記左、右側押さえ作動具４ａ、４ｂは、図示の如く互いに対称形状に形成されている。つまり、左側押さえ作動具４ａは「＞」型、右側押さえ作動具４ｂは「＜」型であって互いに対称形状に形成され、すなわち、下部に行くほど離隔距離が狭くなるように対向の傾斜面同士によってホッパー形状に形成されており、また、前記左、右側押さえ作動具４ａ、４ｂの傾斜面には、少なくとも一対のガイドローラー４７、４８が回転可能に装着されているが、前記左、右側押さえ作動具４ａ、４ｂそれぞれに装着されている一対のガイドローラー４７、４８は、互いに対向する傾斜面が、下部に行くほど離隔距離が狭くなって「＼／」型（ホッパー形状）をなすように形成されており、釣竿の後部１００を載せて置いて軽く押圧すると、一対のガイドローラー４７、４８が回転しながら釣竿の後部１００、すなわち、グリップが左、右側固定ホルダー部２１、２２の間にスムーズに挿入されるように下降移動を案内するように構成されており、これらのガイドローラーは、傾斜面に沿って所定の間隔で複数個、例えば、本実施形態では３段をなすように３対のガイドローラーが設置されており、順次釣竿グリップの下降移動を案内するので、一対のみを設置する場合と比較してスムーズに誘導するという効果があり、しかも、それらの中でも下段に設置されたガイドローラーは、釣竿の後部（グリップ）を収容する円形スペース側に露出されており、釣竿グリップを握って上方に釣竿を引き上げるときに傾斜面ホッパー下端のガイドローラーが上方に抜け出す移動を容易にガイドする。
【００１７】
前記左、右側押さえ作動具４ａ、４ｂそれぞれには、永久磁石４９ａ、４９ｂが埋設されており、前記永久磁石４９ａ、４９ｂは、後述する左、右側可動ホルダー部３ａ、３ｂに設けられている永久磁石３０ａ、３０ｂを引き寄せる作用で前記左、右側可動ホルダー部３ａ、３ｂを保持することができるように構成されている。
【００１８】
前記左、右側可動ホルダー部３ａ、３ｂは、Ｕ字型固定ホルダー２の左、右側固定ホルダー部２１、２２それぞれの下端連結部位に形成されている左、右側ヒンジブラケット２３、２４に回転可能に連結されるように構成されている。
このため、前記左、右側可動ホルダー部３ａ、３ｂそれぞれの下端には、ブラケット組立部３１ａ、３１ｂが形成されており、前記ブラケット組立部３１ａ、３１ｂそれぞれには、ヒンジ軸２５が貫通するヒンジ孔３０が一つずつ形成されており（図２参照）、また、前記左、右側可動ホルダー部３ａ、３ｂのブラケット組立部３１ａ、３１ｂそれぞれには、トーションばね３２を設置することができるようにするばね取付溝３３が形成されている（図４参照）。
したがって、前記左、右側可動ホルダー部３ａ、３ｂは、ブラケット組立部３１ａ、３１ｂのばね取付溝３３に弾力設置されるトーションばね３２によって、ヒンジ軸２５を回転基点にして互いに遠ざかる方向に向かって弾力的に広がってから互いに近接するように対向する元の状態に弾力復元される作動を繰り返し行うことができるように構成されている。
前記左、右側可動ホルダー部３ａ、３ｂそれぞれの上端には、左、右側回転ローラー３４ａ、３４ｂがローラー軸３４によって回転可能に設置されており、前記左、右側回転ローラー３４ａ、３４ｂそれぞれのローラー軸３４は、長孔３５ａ、３５ｂに沿って垂直方向に昇降移動することができるように構成されている。
【００１９】
また、前記左、右側可動ホルダー部３ａ、３ｂの下側部には、左、右側緩衝具３６ａ、３６ｂがそれぞれコイルばね３６によって弾力的に昇降作動するように挿設される昇降案内室３７が一つずつ形成されており、また、前記左、右側緩衝具３６ａ、３６ｂは、左、右側回転ローラー３４ａ、３４ｂが昇降作動するにつれて昇降移動するように装着される左、右側作動棒３８ａ、３８ｂによって昇降移動するように構成されている。
前記左、右側作動棒３８ａ、３８ｂそれぞれは、左、右側可動ホルダー部３ａ、３ｂに形成されている組立孔（符号省略：図面上、回転ローラーの直下方から昇降案内室の上部まで垂直状に形成された組立孔をいう）を介して挿設されるように構成されている。
また、前記左、右側作動棒３８ａ、３８ｂは、その上端が左、右側回転ローラー３４ａ、３４ｂの下部に接触するように設置され、左、右側回転ローラー３４ａ、３４ｂの下降移動時には、押圧圧力を受けて左、右側緩衝具３６ａ、３６ｂがコイルばね３６を弾力的に圧縮させながら下降移動させる作用を行うようにする一方、前記左、右側回転ローラー３８ａ、３８ｂを押圧する力がなくなると、先立って弾力的に圧縮されていたコイルばね３６の弾性復元力によって上昇移動する左、右側緩衝具３６ａ、３６ｂが上昇移動するにつれて上昇移動しながら、左、右側回転ローラー３４ａ、３４ｂを上昇移動させる作用を行うように構成されている。
【００２０】
また、前記左、右側緩衝具３６ａ、３６ｂそれぞれには、左、右側固定ホルダー部２１、２２それぞれの下端連結部位に円弧状に形成されている案内通路２８、２９に沿って回転移動するように突出する突出棒３９が一つずつ形成されている。
一方、前記左、右側可動ホルダー部３ａ、３ｂには、左、右側緩衝具３６ａ、３６ｂを昇降移動させる左、右側作動棒３８ａ、３８ｂを挿入して組み立てることが可能な組立孔（符号省略）が形成されており、前記左、右側緩衝具３６ａ、３６ｂが挿設される昇降案内室３７は、図５に示されている緩衝具カバー３７ａによって密閉できるように構成されており、このため、前記緩衝具カバー３７ａの両側には、ねじ組立孔３７ｂが一つずつ形成されているので、緩衝具カバー３７ａをねじ釘などで左、右側可動ホルダー部３ａ、３ｂそれぞれに固定設置することができるように構成されている。
また、前記左、右側可動ホルダー部３ａ、３ｂそれぞれの上端部位には、左、右側押さえ作動具４ａ、４ｂそれぞれに埋設されている永久磁石４９ａ、４９ｂの影響を受ける永久磁石３０ａ、３０ｂが埋設されており、また、前記左、右側可動ホルダー部３ａ、３ｂそれぞれは、互いに対向する上端に補助ローラー３９ａ、３９ｂが回転可能に形成されている。
【００２１】
前記左、右側可動ホルダー部３ａ、３ｂには、互いに対向する端面の前面に一定の間隔で突設されている複数のストッパー突起３１０と離脱防止突起３２０が備えられており、前記複数のストッパー突起３１０は、釣竿の後部１００に連結紐１１０などで連結されている紛失防止用アンカー１２０がかかり得る間隔で形成されており、前記離脱防止突起３２０は、紛失防止用アンカー１２０が左、右側可動ホルダー部３ａ、３ｂから離脱しないようにする機能を持っている（図２及び図４を参照）。
また、前記紛失防止用アンカー１２０は、図１１に示すように、連結紐１１０が挿入される挿入孔１２１、前記連結紐１１０の先端に形成される結び目１１１が係止される係止孔１２２、及びストッパー突起３１０に係止される係止溝１２３が形成されている。
一方、前記第１実施形態の釣竿後受け１ａは、Ｕ字型固定ホルダー２の左、右側固定ホルダー部２１、２２が連結される下端部位には紐挿入溝２０が形成されており、前記紐挿入溝２０は、魚が釣竿を引いていくことが発生するとき、釣竿の後部１００に紛失防止用アンカー１２０を連結する連結紐１１０などが挿入できるようにすることにより、釣竿の紛失事故を防止することができるようにする。
また、前記左、右側固定ホルダー部２１、２２それぞれに形成された左、右側ヒンジブラケット２３、２４には、水を排出させる排水孔２３ａ、２４ａがそれぞれ形成されている。
【００２２】
次に、第２実施形態の釣竿後受け１ｂの構成について説明する。
前記第２実施形態の釣竿後受け１ｂの構成を説明するにあたり、前述した第１実施形態と同一の構成については同じ用語を使って説明するが、図面符号は異ならせて説明する。
前記第２実施形態の釣竿後受け１ｂも、図１３に示すように、固定支持台１１の上端に固定設置されるＵ字型固定ホルダー５と、前記Ｕ字型固定ホルダー５の一側（図面上の左側を参照）に弾力的に回転可能に組み立てられて設置される一つの回転支持台６に区分形成されている。
【００２３】
また、前記Ｕ字型固定ホルダー５は、図示の如く左側固定ホルダー部５１と右側固定ホルダー部５２がＵ字型をなすように連結形成されており、前記左、右側固定ホルダー部５１、５２それぞれの上端には、左、右側押さえ作動具７ａ、７ｂが互いに収斂する方向、すなわち中心方向に向かってそれぞれ回転可能に設置されている。
このため、前記左、右側押さえ作動具７ａ、７ｂそれぞれの連結ブラケット７１、７２は、左、右側固定ホルダー部５１、５２を貫通するピン軸７３、７４に回転可能に連結されており、また、前記左、右側押さえ作動具７ａ、７ｂの互いに対向する傾斜面には、少なくとも一対のガイドローラー７５、７６が設置されており、このガイドローラーは、傾斜面に沿って所定の間隔で複数個、本実施形態では下部に行くほど次第に間隔が狭くなる３対のローラーが回転可能に設置されており、それらの中で下段に設置されたガイドローラーは、釣竿の後部（グリップ）を収容する円形スペース側に露出されており、釣竿グリップを握って上方に釣竿を引き上げるとき、傾斜面ホッパー下端のガイドローラーが上方に抜け出す移動を容易にガイドする。
【００２４】
また、前記左、右側押さえ作動具７ａ、７ｂそれぞれは、ピン軸７３、７４を取り巻く状態で設置されるトーションばね７７、７８によって弾力的に回転するように構成されており、前記左、右側押さえ作動具７ａ、７ｂそれぞれは、釣竿の後部１００が据え置かれていない状態では、図１３に示すように左、右側押さえ作動具７ａ、７ｂそれぞれに回転可能に設置されている複数のガイドローラー７５、７６が互いに傾斜面に沿って配列されて「＼／」型の形状をなすように所定の間隔で広がった状態を維持しており、釣竿の後部１００をＵ字型固定ホルダー５の左、右側固定ホルダー部５１、５２の間に挿入させるときには、左、右側押さえ作動具７ａ、７ｂは、ピン軸７３、７４を回転基点として左、右両側に向かって弾力的に広がるようになり（図１５参照）、釣竿の後部１００を左、右側固定ホルダー部５１、５２の間に挿入させる作動が完了すると、トーションばね７７、７８の弾性復元力によって速やかに元の位置（広がる前の状態、すなわち内側に回動）に復帰しながら釣竿の後部１００を包んで弾力的に押圧する（図１６参照）。
【００２５】
前記Ｕ字型固定ホルダー５の左側固定ホルダー部５１の下端に形成されているヒンジブラケット５３には、回転支持台６が回転可能に設置されており、前記回転支持台６は、左側固定ホルダー部５１とヒンジブラケット５３を貫通するように設置されるヒンジ軸５４を取り巻く状態で設置されるトーションばね５５によって右側固定ホルダー部側に向かって弾力的に回転することができるように設置されている。
【００２６】
また、前記回転支持台６の上端には、左側固定ホルダー部５１の上端に埋設されている固定永久磁石５６と向き合う状態で設置される可動永久磁石６１が埋設されている。
前記回転支持台６の上端に埋設される可動永久磁石６１と、前記左側固定ホルダー部５１の上端に埋設される固定永久磁石５６は、互いに一致する状態で互いに引き寄せる磁力の力が回転支持台６を弾力的に回転させるトーションばね５５の弾力よりも強い状態である。
従って、前記回転支持台６を、図１３に示されているように左側固定ホルダー部５１と垂直状に一致するように立てられている状態で固定させておいたときには、永久磁石５６、６１の間に作用する引力によって、回転支持台６は、左側固定ホルダー部５１に一致する状態で立てられたまま固定されている状態を維持しているが、釣竿の後部１００を左、右側固定ホルダー部５１、５２に挿入させた後、前記回転支持台６を図１６の図示の如く矢印の方向に回転させると、回転支持台６に埋設されている可動永久磁石６１が、左側固定ホルダー部５１に埋設された固定永久磁石５６から離れる状態となる。このように固定永久磁石５６と可動永久磁石６１が互いに離れている状態では、トーションばね５５の弾力によって、前記回転支持台６は、釣竿の後部１００を弾力的に押圧する作用で釣竿の後部１００を保持している状態、すなわち、図示した状態を基準にしてはトーションばね５５によって時計回りに回転モーメントを受けて斜めの状態で釣竿グリップの一側接触面を加圧する状態を維持している。
【００２７】
前記Ｕ字型固定ホルダー５の右側固定ホルダー部５２の下端には、回転支持台６の回転作動を停止させる段差部８が形成されており、前記段差部８には、回転支持台６が段差部８側に回転しながら打撃するときに打撃音がより小さく出るようにするために、ゴム材質などからなる緩衝部材８１が埋設されている。
また、前記回転支持台６の先端には、釣竿の後部１００がスムーズに抜け出すように案内する案内ローラー６２が回転可能に取り付けられている。
【００２８】
一方、前記第２実施形態の釣竿後受け１ｂは、Ｕ字型固定ホルダー５の左、右側固定ホルダー部５１、５２が連結される下端部位には、釣竿の後部１００に紛失防止用アンカー１２０が連結されている連結紐１１０が挿入されるようにする紐挿入溝５７が形成されており、また、前記紐挿入溝５７は、紛失防止用アンカー１２０の先端部（符号省略）が挿入できる直径に形成されている。
また、前記回転支持台６が回転可能に設置されるヒンジブラケット５３には、水を排出させる排水孔５８が形成されている。
【００２９】
このように構成された本発明の第１及び第２実施形態の釣竿後受け１ａ、１ｂの作用について説明する。
まず、第１実施形態の釣竿後受け１ａの作用について説明する。
前記釣竿後受け１ａは、釣竿を設置していない状態、すなわち、釣竿の後部１００を据え置いていないときには、図１に示されているように左、右側可動ホルダー部３ａ、３ｂは、トーションばね３２の弾力によって補助ローラー３９ａ、３９ｂが互いに当接した状態を維持しており、また、左、右側固定ホルダー部２１、２２の上端に設置されている左、右側押さえ作動具４ａ、４ｂは、図３に示されているような状態を維持している。このように前記左、右側可動ホルダー部３ａ、３ｂの補助ローラー３９ａ、３９ｂが互いに当接している状態であり、前記左、右側押さえ作動具４ａ、４ｂが図３の図示の如き状態であるときには、前記左、右側可動ホルダー部３ａ、３ｂに埋め込まれている永久磁石３０ａ、３０ｂと前記左、右側押さえ作動具４９ａ、４９ｂに埋め込まれている永久磁石４９ａ、４９ｂは、互いに対向した状態で互いに引き寄せる引力が作用して、二つの部材が一致して起立している状態となる。しかし、この状態で左、右側可動ホルダー部を左右方向に広げる力をかけると、両部材は容易に互いに離れる。
【００３０】
次いで、前記釣竿後受け１ａに釣竿を設置するために、図６の図示の如く釣竿の後部１００を、左、右側可動ホルダー部３ａ、３ｂの上端にそれぞれ形成されている左、右側回転ローラー３４ａ、３４ｂの上に載せて置き、前述した釣竿の後部１００を図７に示されている矢印の方向に軽く押圧すると、左、右側回転ローラー３４ａ、３４ｂは、ローラー軸３４が長孔３５ａ、３５ｂに沿って矢印の方向（下降方向）に移動するが、この時、前記左、右側回転ローラー３４ａ、３４ｂが左、右側作動棒３８ａ、３８ｂを押圧するので、これにより前記左、右側作動棒３８ａ、３８ｂの下端が左、右側緩衝具３６ａ、３６ｂを押圧する。
【００３１】
したがって、前記左、右側緩衝具３６ａ、３６ｂそれぞれは、コイルばね３６を圧縮させながら下降移動し、これにより左、右側緩衝具３６ａ、３６ｂそれぞれに突設されている突出棒３９が左、右側固定ホルダー部２１、２２にそれぞれ一つずつ形成されている案内通路２８、２９の上端垂直部分（符号省略）に沿って下降移動し（図７参照）、次いで前記釣竿の後部１００が矢印の方向に下降移動する作動で左、右側回転ローラー３４ａ、３４ｂと左、右側可動ホルダー部３ａ、３ｂを図８の図示の如く矢印の方向である左、右側方向に広げるが、この時、前記左、右側可動ホルダー部３ａ、３ｂを左、右側方向に広げながら下降する釣竿の後部１００は、左、右側固定ホルダー部２１、２２の上端に形成されている左、右側押さえ作動具４ａ、４ｂそれぞれに設置されている複数のガイドローラー４７、４８を回転させながら、左、右側固定ホルダー部２１、２２の間に挿入する状態となる。このように前記釣竿の後部１００が左、右側固定ホルダー部２１、２２の間に挿入されるときには、左、右側押さえ作動具４ａ、４ｂそれぞれに形成されている複数のガイドローラー４７、４８が回転するので、釣竿の後部１００は、前記左、右側固定ホルダー部２１、２２の間にスムーズに挿入されながら据え置かれるのである（図９参照）。
前述したように釣竿の後部１００がＵ字型固定ホルダー２の左、右側固定ホルダー部２１、２２の間に挿入される作動が完了するときには、それと同時に、左、右側固定ホルダー部２１、２２の上端に設置されている左、右側押さえ作動具４ａ、４ｂがトーションばね４５、４６の弾性復元力によって元の位置に復帰しながら、左、右側固定ホルダー部２１、２２の間に挿入されている釣竿の後部１００を弾力的に押圧し、このように前記左、右側固定ホルダー部２１、２２の間に挿入されている釣竿の後部１００を左、右側押さえ作動具４ａ、４ｂが弾力的に押圧するときには、釣竿は、釣竿後受け１ａに安全に据え置かれた状態になるだろう。
【００３２】
前述したように第１実施形態の釣竿後受け１ａは、釣り針にかかった魚が釣竿を海中に引き込む現象で釣竿の後部１００が左、右側固定ホルダー部２１、２２の前方側に抜け出すときには、釣竿の後部１００に連結されている連結紐１１０が紐挿入溝２０に挿入されるとともに左、右側可動ホルダー部３ａ、３ｂがトーションばね３２の弾性復元力によって元の位置に復元する作動（図１０参照）で紛失防止用アンカー１２０が抜け出さないようにし、また、前記紛失防止用アンカー１２０は、係止溝１２３が複数のストッパー突起３１０のいずれかに係止されるか、或いは離脱防止突起３２０に係止される状態となり、結果として釣竿後受け１ａに紛失防止用アンカー１２０がかかるので、釣竿の紛失を防止することができる。
【００３３】
次に、第２実施形態の釣竿後受け１ｂの作用について説明する。
前記釣竿後受け１ｂは、釣竿を据え置いていないときには、図１３に示されているように、回転支持台６を左側固定ホルダー部５１と一致するように回転させると、前記左側固定ホルダー部５１に埋設されている固定永久磁石５６が、前記回転支持台６に埋設されている可動永久磁石６１を引っ張る引力により、回転支持台６は左側固定支持台５１のように垂直状態を維持しているので、釣竿後受け１ｂに釣竿を据え置くことができる。
【００３４】
従って、図１５に示すようにＵ字型固定ホルダー５の左、右側固定ホルダー部５１、５２の間に釣竿の後部１００を挿入させるときには、前記左、右側固定ホルダー部５１、５２の間に突出している左、右側押さえ作動具７ａ、７ｂそれぞれに形成された複数のガイドローラー７５、７６上に釣竿の後部１００を載せて置いて軽く押圧すると、前述した複数のガイドローラー７５、７６が回転するとともに、前記左、右側押さえ作動具７ａ、７ｂが図示の如く矢印の方向に向かって左、右側に広がるので、釣竿の後部１００は、左、右側固定ホルダー部５１、５２の間に挿入される。
上述のように前記左、右側固定ホルダー部５１、５２の間に釣竿の後部１００を挿入して据え置かせることを完了した後は、前記左側固定ホルダー部５１の固定永久磁石５６によって垂直状態を維持している回転支持台６を図１６の図示の如く矢印の方向に押す方法で回転させると、前記回転支持台６は、トーションばね５５の弾性復元力によって据え置かれている釣竿の後部１００側に回転して釣竿の後部１００を弾力的に押圧する状態となるので、これにより、前記釣竿後受け１ｂは釣竿の後部１００を安全に据え置かせることができる。
【００３５】
上述のように釣竿後受け１ｂに釣竿を据え置いて釣りをする途中で魚が釣竿を海中に引き込んで釣竿の後部１００がＵ字型固定ホルダー５の左、右側固定ホルダー部５１、５２から抜け出す現象が発生した場合には、釣竿の後部１００に連結されている連結紐１１０が紐挿入溝５７の中に挿入されるとともに、前記回転支持台６がトーションばね５５の弾性復元力によって図１７の図示の如く段差部８側に回転しながら、前記紐挿入溝５７の中に挿入される連結紐１１０を保持するとともに紛失防止用アンカー１２０が抜け出さないようにすることにより、釣竿の紛失事故を完全に防止することができる。
また、前記回転支持台６は、段差部８に直接ぶつからず、ゴム材質などからなる緩衝部材８１にぶつかるので、騒音を低減することができる。
【００３６】
上述した本発明の第１及び第２実施形態の釣竿後受け１ａ、１ｂは、Ｕ字型固定ホルダー２に据え置かれている釣竿を弾力的に押圧する状態を維持しているので、釣りの途中で風が強く吹いたり波が荒く波打ったりする現象が発生しても、釣竿の後部１００を安全に保持し、魚のアタリの際に釣り場の周辺状況に応じて釣竿のアワセ方向を選択することができるので、魚が水草地域へ逃げない（移動しない）ようにして、魚を安全にすくい上げることができる。
例えば、水草地域の前（前方）にウキを立てて置いて釣りをするときには、釣り針にかかった魚は水草地域側へ逃げようとする習性があるので、この場合には、釣竿を引っ張る方向にアワセすることができるので、釣り針にかかった魚が水草地域の方向に逃げないようにすることができ、これとは異なり、水草地域の後（後方）にウキを立てて置いて釣りをするときには、釣竿を押し出す方向にアワセすることができるので、釣り針にかかった魚が水草地域側へ逃げないようにするとともに、魚を水面上に引き上げた状態で水草にかからないように引き寄せることができる。
以上で説明したように、本発明の第１及び第２実施形態の釣竿後受け１ａ、１ｂは、釣竿を安全に据え置かせることができ、アワセの際には魚を安全に捕獲することができるだけでなく、釣り針にかかった魚を安全にすくい上げることができるようにするという効果がある。
【符号の説明】
【００３７】
１ａ、１ｂ    釣竿後受け
２    Ｕ字型固定ホルダー
２０    紐挿入溝
２１、２２    左、右側固定ホルダー部
２３    左側ヒンジブラケット
２４    右側ヒンジブラケット
２５    ヒンジ軸
２６、２７    ヒンジ組立孔
２８、２９    案内通路
３ａ、３ｂ    左、右側可動ホルダー部
３０    ヒンジ孔
３０ａ、３０ｂ    永久磁石
３１ａ、３１ｂ    左、右側ブラケット組立部
３２    トーションばね
３３    ばね設置溝
３４ａ、３４ｂ    左、右側回転ローラー
３５ａ、３５ｂ    長孔
３６    コイルばね
３６ａ、３６ｂ    左、右側緩衝具
３７    昇降案内室
３７ａ    緩衝具カバー
３７ｂ    ねじ組立孔
３８ａ、３８ｂ    左、右側作動棒
３９    突出棒
４ａ、４ｂ    左、右側押さえ作動具
４１、４２    連結ブラケット
４３、４４    ピン軸
４５、４６    トーションばね
４７、４８    ガイドローラー
４９ａ、４９ｂ    永久磁石
５    Ｕ字型固定ホルダー
５１、５２    左、右側固定ホルダー部
５３    ヒンジブラケット
５４    ヒンジ軸
５５    トーションばね
５６    永久磁石
５７    紐挿入溝
５８    排水孔
６    回転支持台
６１    永久磁石
６２    案内ローラー
７ａ、７ｂ    左、右側押さえ作動具
７１、７２    連結ブラケット
７３、７４    ピン軸
７５、７６    ガイドローラー
７７、７８    トーションばね
８    段差部
８１    緩衝部材
【図１】
2021511051.tif 000003
【図２】
2021511051.tif 000004
【図３】
2021511051.tif 000005
【図４】
2021511051.tif 000006
【図５】
2021511051.tif 000007
【図６】
2021511051.tif 000008
【図７】
2021511051.tif 000009
【図８】
2021511051.tif 000010
【図９】
2021511051.tif 000011
【図１０】
2021511051.tif 000012
【図１１】
2021511051.tif 000013
【図１２】
2021511051.tif 000014
【図１３】
2021511051.tif 000015
【図１４】
2021511051.tif 000016
【図１５】
2021511051.tif 000017
【図１６】
2021511051.tif 000018
【図１７】
2021511051.tif 000019
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
釣竿の後部を一定の高さに固定させるための固定支持台と、前記固定支持台の上端に固定形成され、釣竿の後部を支えるためのＵ字型固定ホルダーとを備えている釣竿後受けであって、
前記Ｕ字型固定ホルダーの左、右側固定ホルダー部それぞれの上端にヒンジを基点として回動可能に設置され、釣竿の後部が上部側から左、右側固定ホルダー部の間に挿入されるときに弾力的に広がってから窄まるように設置される左、右側押さえ作動具と；
前記左、右側押さえ作動具が互いに接近する方向に回動する力を加えるように前記それぞれのヒンジに設置されるトーションばねと；
前記左、右側押さえ作動具の上部内側に釣竿の後部の下降挿入を案内するように回転可能に設置される少なくとも一対のガイドローラーと；
前記Ｕ字型固定ホルダーの左、右側固定ホルダー部それぞれの下端に設けられる左、右側ヒンジブラケットと；
前記左、右側ヒンジブラケットにそれぞれ設けたヒンジ軸によって回転可能に起立して設置され、前記釣竿の後部の挿入時に左右に広がるように回転作動する左、右側可動ホルダー部と；
前記左、右側可動ホルダー部の間に挿入される釣竿の後部の両側面を弾力的に挟持して支えるようにするために前記左、右側可動ホルダー部が互いに接近する方向に弾発力を加えるように前記左、右側ヒンジブラケットにそれぞれ設けたヒンジ軸に設置されるトーションばねと；を含んでなることを特徴とする、釣竿後受け。
【請求項２】
前記左、右側押さえ作動具の上部内側に上広下狭の形態をなす傾斜面が形成され、前記傾斜面に沿って複数のガイドローラーが回転可能に所定の間隔を置いて形成されていることを特徴とする、請求項１に記載の釣竿後受け。
【請求項３】
前記左、右側可動ホルダー部それぞれの上端には、左、右側回転ローラーがローラー軸に対して回転可能に設置されており、前記左、右側回転ローラーのローラー軸は、左、右側可動ホルダー部の上端にそれぞれ形成されている長孔に沿って垂直方向に移動可能に形成されていることを特徴とする、請求項１に記載の釣竿後受け。
【請求項４】
前記左、右側可動ホルダー部の下部には、コイルばねによって上方に移動する力を受けるように断面「∩」字状に形成される左、右側緩衝具が設置され、前記左、右側緩衝具と前記左、右側回転ローラーのピン軸との間を連結している左、右側作動棒が前記左、右側可動ホルダー部のボディ内に挿設されており、前記左、右側作動棒は、前記左、右側回転ローラーが左、右側ヒンジブラケット側に向かって下降移動するときに前記左、右側緩衝具が前記コイルばねを弾力的に圧縮しながら下降移動させるように作動する部材であることを特徴とする、請求項３に記載の釣竿後受け。
【請求項５】
前記左、右側緩衝具には、左、右側固定ホルダー部側へ突出する突出棒が一つずつ形成されており、前記突出棒は、下降作動の際に前記左、右側固定ホルダー部の下端に形成されている円弧形状の案内経路に進入して前記案内通路に沿って回転移動するように形成されることにより、前記左、右側可動ホルダー部がヒンジ軸を回転基点として回転するように構成されていることを特徴とする、請求項４に記載の釣竿後受け。
【請求項６】
前記左、右側可動ホルダー部それぞれには、左、右側回転ローラーの下に補助ローラーが対向するように対称に形成されていることを特徴とする、請求項１に記載の釣竿後受け。
【請求項７】
前記左、右側可動ホルダー部それぞれには、釣竿の後部に連結紐で連結された紛失防止用アンカーがかかって拘束されるように少なくとも一つのストッパー突起が突出するか、或いは前記左、右側可動ホルダー部それぞれの上部側に前記アンカーの上昇離脱を遮断する離脱防止突起が形成されていることを特徴とする、請求項１に記載の釣竿後受け。
【請求項８】
前記左、右側押さえ作動具及び前記左、右側可動ホルダー部それぞれには、Ｎ極とＳ極が互いに対向するように設置される永久磁石が設けられており、前記左、右側押さえ作動具と前記左、右側可動ホルダー部は、起立した状態で互いに磁石を介して吸着して起立状態を維持することを特徴とする、請求項１乃至７のいずれか一項に記載の釣竿後受け。
【請求項９】
釣竿の後部を一定の高さに固定させるための固定支持台と、前記固定支持台の上端に固定形成され、釣竿の後部を支えるためのＵ字型固定ホルダーとを備えている釣竿後受けであって、
前記Ｕ字型固定ホルダーの左、右側固定ホルダー部それぞれの上端にヒンジを基点として回動可能に設置され、釣竿の後部が上部側から左、右側固定ホルダー部の間に挿入されるときに弾力的に広がってから窄まるように設置される左、右側押さえ作動具と；
前記左、右側押さえ作動具が互いに接近する方向に回動する力を加えるように前記それぞれのヒンジに設置されるトーションばねと；
前記左、右側押さえ作動具の上部内側に釣竿の後部の下降挿入を案内するように回転可能に設置される少なくとも一対のガイドローラーと；
前記左側固定ホルダー部の下端に形成されているヒンジブラケットと；
前記ヒンジブラケットに設けられたヒンジ軸を中心点として回転可能に接続される一つの回転支持台と；
前記回転支持台が前記右側固定ホルダー部側に回転する力を加えるように、前記ヒンジブラケットに設けられた前記ヒンジ軸に弾力設置されるトーションばねと；
前記回転支持台が起立して前記左側固定ホルダー部に近接するときに磁力によって互いに吸着して前記回転支持台が起立した状態を維持するように設置される永久磁石と；を含んでなることを特徴とする、釣竿後受け。
【請求項１０】
前記左、右側押さえ作動具の上部内側に上広下狭の形態をなす傾斜面が形成され、前記傾斜面に沿って複数のガイドローラーが回転可能に所定の間隔を置いて形成されていることを特徴とする、請求項９に記載の釣竿後受け。
【請求項１１】
前記Ｕ字型固定ホルダーの右側固定ホルダー部の下端には、前記回転支持台の回転作動を停止させる段差部が形成され、前記段差部に回転支持台が回転して衝突時の騒音を減らすための緩衝部材が埋設されていることを特徴とする、請求項９に記載の釣竿後受け。
【請求項１２】
前記左、右側押さえ作動具の間に下降挿入されて設置された釣竿を持ち上げるときに前記回転支持台の上端がかかる現象が現れないように誘導しながら釣竿の後部がスムーズに抜け出すように前記回転支持台の上端に回転可能に設けられる案内ローラーを含んでなることを特徴とする、請求項９に記載の釣竿後受け。
【国際調査報告】
2021511051.tif 000020
2021511051.tif 000021
2021511051.tif 000022
2021511051.tif 000023